(57)【要約】  折り畳み式輸送コンテナは、主として材料、物品、および他の貨物の輸送を目的とし、底部と、側面直立部（２、３）を有するサイドパネルとを備え、これらのパネルは、底部の縁とのピボットリンクおよびロック／リリース機構（１）を有する。このロック／リリース機構は、第１サイドパネルの側面直立部（２）の内側に配置され、留め金（５）及びばね（６）を備えたレバー（４）を備え、レバー（４）は固定軸（７）を用いて第１サイドパネルの側面直立部（２）の内側に回転式に配置され、レバー（４）の一端が第１サイドパネルの側面直立部（２）の孔１（８）の内側に配置されるとともに、レバー（２）の他端が第１サイドパネルの側面直立部（２）の孔２（９）の内側に配置される留め金（５）に固定されたリンクを有する。隣接するサイドパネルの側面直立部（３）には開口（１０）が設けられ、その形状と寸法は留め金（５）の形状と寸法に適合し、留め金（５）と１つの面内にある。ばね（６）はレバー（４）に連結されている。
2021520317.tif 000002
【特許請求の範囲】
【請求項１】
材料、物品、および他の貨物の輸送を主として目的とする折り畳み式輸送コンテナであって、底部と、側面直立部（２、３）を有するサイドパネルとを備え、これらのパネルは底部の縁とのピボットリンクと、ロック／リリース機構（１）とを有し、ロック／リリース機構は第１サイドパネルの側面直立部（２）の内側に配置され、留め金（５）を有するレバー（４）と、ばね（６）とを含み、レバー（４）は、レバー（４）の一端が第１サイドパネルの側面直立部（２）の孔１（８）内に配置されるように、固定軸（７）を使用して第１サイドパネルの側面直立部（２）の内側に回転式に配置され、レバー（４）の他端は、第１サイドパネルの側面直立部（２）の孔２（９）内に配置される留め金（５）に固定連結されており、隣接するサイドパネルの側面直立部（３）は開口（１０）が設けられ、その形状及び寸法は留め金（５）の形状及び寸法に適合して、留め金（５）と一平面内にあり、ばね（６）はレバー（４）に連結されている、
折り畳み式輸送コンテナ。
【請求項２】
レバー（４）は、２つの対向する斜壁（１３、１４）で接続された２つの対向し互いにオフセットした壁（１１、１２）を含み、壁（１１）は側面直立部（２）の孔１（８）に隣接し、壁（１２）の外側の端部には留め金（５）が取り付けられていることを特徴とする請求項１に記載の折り畳み式輸送コンテナ。
【請求項３】
レバー（４）の２つの対向する斜壁（１３、１４）は、固定軸（７）の配置のための２つの対向する開口（１５、１６）を含むことを特徴とする請求項１に記載の折り畳み式輸送コンテナ。
【請求項４】
直立部（２）の壁は、固定軸（７）を配置するための１つの開口（１７）または２つの開口（１７）を含み、レバー（４）は、開口（１７）がレバー（４）の対向する斜壁（１３、１４）の開口（１５、１６）と１つの平面内にあるように配置されることを特徴とする請求項２乃至３のいずれかに記載の折り畳み式輸送コンテナ。
【請求項５】
留め金（５）は楔形であることを特徴とする請求項１乃至４のいずれかに記載の折り畳み式輸送コンテナ。
【請求項６】
突起（１８）が壁（１２）の内側に配置され、ばね（６）は、ばね（６）に形成されたループを介して突起（１８）に取り付けられることを特徴とする請求項２乃至５のいずれかに記載の折り畳み式輸送コンテナ。
【請求項７】
固定軸（７）は、キャリングシャフトであることを特徴とする請求項１乃至６のいずれかに記載の折り畳み式輸送コンテナ。
【請求項８】
第１サイドパネルの側面直立部（２）には安全支持部（１９）が設けられ、第１サイドパネルに隣接するサイドパネルの側面直立部（３）には安全支持部（１９）の反対側にある開口（２０）が設けられ、この開口（２０）は突起（１９）の形状及び寸法に適合した形状及び寸法により突起（１９）の挿入用であることを特徴とする請求項１乃至７のいずれかに記載の折り畳み式輸送コンテナ。
【請求項９】
ばね（６）は、可撓性鋼で作られていることを特徴とする請求項１〜７のいずれかに記載の折り畳み式輸送コンテナ。
【発明の詳細な説明】
【技術分野】
【０００１】
技術的解決策は、主に材料、物品、および他の貨物の輸送を目的とする折り畳み式輸送コンテナに関し、輸送分野に属する。
【背景技術】
【０００２】
現在、大量の材料、物品、および他の貨物は、水上輸送、道路輸送、鉄道輸送、および航空輸送を使用して、コンテナに梱包されて輸送されている。個々の容器は、互いにすぐ隣り合って配置され、それによって、輸送中および貯蔵中両方の空間を最小限にすることが望ましい。空のコンテナを保管または輸送するとき、空のコンテナによって占められる空間の容積が最小限に抑えられることも望ましい。これは、容器を折り畳むことによって達成することができる。
【０００３】
現在使用されている輸送コンテナは、例えば、プラスチックまたは金属の壁を使用した金属製のプロファイルで作られている。このような輸送コンテナを折り畳む現在知られている状態は、引き抜かれるとコンテナの側壁の直立部の一部をリリースし、それによってコンテナの直立部の折り畳みまたは側壁の折り畳みを可能にする引き抜き可能なプルロッド（引き棒）の使用に基づいている。この公知の解決策の欠点は引き抜き可能なプルロッドが輸送コンテナの外壁から突出し、輸送コンテナを互いにすぐ隣に又は後ろに配置することを不可能にし、貯蔵又は輸送に必要な空間を増大させることである。別の欠点は、操作中に、引き抜き可能なプルロッドが動かなくなるか、または破壊さえされることである。それらの破壊は、容器を可能な限り互いに接近させて配置した場合にも起こる。引き抜き可能なプルロッドを使用することの別の欠点は、引き抜きに必要な物理的な力が大きいことである。
【０００４】
米国特許８２６１９２４には折り畳みの航空コンテナが記載されており、このコンテナは、標準底部と、底部にスライド可能にヒンジ結合されたサイドパネルと、サイドパネルと連動する底部にヒンジ結合された背面パネルとを備えている。しかしながら、この特許文献では、サイドパネルと背面パネルとのロック／リリース機構の構成上の問題が解決されていない。
【発明の概要】
【０００５】
前述の欠点は、主に材料、物品、および本発明による他の貨物の輸送を目的とする折り畳み式輸送コンテナによって取り除かれ、その原理は、本発明による埋め込みロック／リリース機構によって提供される輸送コンテナの折り畳みと展開に基づく。
【０００６】
主に材料、物品、およびその他の貨物の輸送に使用することを目的とした折り畳み式輸送コンテナには、底部、側面直立部を有するサイドパネルが含まれ、サイドパネルには底部の縁とのピボットリンクが設けられている。また、折り畳み式輸送コンテナは、第１サイドパネルの側面直立部の内側に位置するロック／リリース機構を含む。ロック／リリース機構には、留め金付きレバーとばねがある。このレバーは、固定軸を用いて第１サイドパネルの側面直立部の内側に回転式に配置され、レバーの一端が第１サイドパネルの側面直立部の孔１内に配置される一方、レバーの他端が第１サイドパネルの側面直立部の孔２内に配置される留め金に固定された連結を有する。隣接するサイドパネルの側面直立部には、第１サイドパネルの側面直立部に配置され、その形状および寸法が留め金の形状および寸法に適合し、留め金と一平面内で整列する開口が設けられている。ばねはレバーに連結されている。
【０００７】
留め金は楔形であってもよく、これは、主に、材料および物品の輸送に使用する前に輸送コンテナを展開するときに好ましい。固定軸の好ましい実施形態は、搬送シャフト（キャリングシャフト）を使用する。キャリングシャフトは、スクリューボルトまたはねじ歯車（ウォーム）で作ることができる。
【０００８】
レバーの好ましい構造は、一対の対向する、好ましくは平行に、相互にオフセットした壁を含み、一対の対向する、好ましくは平行に傾斜した壁によって接続され、相互にオフセットした壁の一方は側面直立部の孔１に隣接し、留め金は、一対の相互にオフセットした壁の他方の壁の外側の端部に取り付けられる。
【０００９】
さらに、技術、製造、および安全性の点から、レバーの２つの対向する、好ましくは平行な斜壁が、レバーの固定軸の配置のために働く２つの対向する開口を含む。第１サイドパネルの側面直立部の壁には固定軸の配置のための開口または２つの開口が含まれており、開口／２つの開口はレバーの平行な斜壁内に配置された開口と、１つの平面内に配置される開口と一致する。第１サイドパネルの側面直立部の内側にあるレバーが、第１サイドパネルの側面直立部の対向壁にある開口の内側に取り付けられたキャリングシャフトの周りを回転すると、技術、製造、及び安全性の点から好ましい。回転はレバー壁内の対向する開口によって容易になり、キャリングシャフト上のレバーのサスペンションを提供する。
【００１０】
レバー壁の内側は、ばね上に形成されたループを介してばねを取り付けるためにレイアウトされた突起を含むことができる。
【００１１】
輸送コンテナの安全性と強度を高めるために、第１サイドパネルの側面直立部には安全支持部を設けることができ、隣接するサイドパネルの側面直立部には開口が設けられ、その形状および寸法は突起の挿入のために突起の形状および寸法に適合される。隣接するサイドパネルの側面直立部の開口に安全支持部を挿入することにより、輸送される材料または物品の保管の準備が整った、展開状態の輸送パネルの安全性および強度が向上する。
【００１２】
本発明による上述の折り畳み式輸送コンテナは、空の輸送コンテナを折り畳むための効率的で好ましい解決策を示す。本発明の利点には、大部分が含まれる:
・  ロック／リリース機構は輸送コンテナの外側寸法を超えず、これにより、コンテナを互いにすぐ隣に又は後ろに配置することが容易になり、それにより、コンテナの保管に必要なスペースが減少し、コンテナの保管コストも減少する。
・  引き抜き可能なプルロッドの詰まりまたは破損によって引き起こされる輸送コンテナのトラブル発生率の低減により、輸送コンテナの修理および保守のコストが低減される。
・  相当な物理的な力を使用する必要のない単純な操作。
【図面の簡単な説明】
【００１３】
【図１】図１は、固定軸７を配置するための２つの対向する開口１５、１６を有し、ばね６を取り付けるための突起１８を有するレバー４を表す。
【図２】図２は、ロック時の留め金５とばね６を有するレバー４を備えた、第１サイドパネルの側面直立部２の縦断面を表す。
【図３】図３は、第１サイドパネルの側面直立部２の縦断面を表し、リリース時の留め金５とばね６を有するレバー４を備えている。
【図４】図４は、第１サイドパネルの側面直立部２の縦断面を表し、レバー４は留め金５とばね６を有し、隣接サイドパネルの側面直立部３はロックされている。また、第１サイドパネルの側面直立部２、隣接サイドパネルの側面直立部３の開口２０に挿入される安全支持部１９を表している。
【図５】図５は、第１サイドパネルの側面直立部２の縦断面を、レバー４をくさび形の留め金５で、隣接サイドパネルの側面直立部３をロックした状態で表したものである。また、第１サイドパネルの側面直立部２、隣接サイドパネルの側面直立部３の開口２０に挿入される安全支持部１９を表している。
【図６】図６は、レバー４を備えた第１サイドパネルの側面直立部２を表し、リリース時の隣接サイドパネルの側面直立部３を表す。また、第１サイドパネルの側面直立部２、隣接サイドパネルの側面直立部３の開口２０に挿入される安全支持部１９を表している。
【発明を実施するための形態】
【００１４】
本発明は、実施形態の以下の非限定的な例においてさらに詳細に開示される。
【実施例】
【００１５】
実施例１
折り畳み式輸送コンテナは、主に材料輸送に使用するためのロック／リリース機構１を備えて製造された。底部と、側面直立部を有する４枚のサイドパネルがある。これらのパネルには、底部の縁とのピボットリンク（旋回連結）がある。２つのロック／リリース機構１を含み、一方は右サイドパネルと前面サイドパネルとの間で第１（右）サイドパネルの側面直立部２の内側に配置され、他方は左サイドパネルと後面サイドパネルとの間で第１（左）サイドパネルの側面直立部２の内側に配置される。右側サイドパネルおよび背面サイドパネルの直立部、ならびに左側サイドパネルおよび前面サイドパネルの直立部には、輸送コンテナの強度および安全性を高めるために突起を挿入するための安全支持部およびそれぞれの開口が装備されている。
【００１６】
両方のロック／リリース機構１は同一である。各ロック／リリース機構１は、留め金５及びばね６を備えたレバー４を含む。レバー４は回転式に設置され、レバー４の一端が第一サイドパネルの側面直立部２側の孔１（８）の内側に位置するように固定軸７を用いて第一サイドパネルの側面直立部２の内側に設置され、レバー４の他端は第一サイドパネルの側面直立部２側の孔２（９）の内側に設置された留め金５に固定連結を有し、一方、隣接するサイドパネルの側面直立部３には開口１０が設けられ、その形状及び寸法は留め金５の形状及び寸法に適合し、レバー４は柔軟性のあるスチール製のばね６に連結されている。レバー４は２つの平行かつ相互にオフセットした壁１１、１２を２つの平行の傾斜した斜壁１３、１４で連結しており、壁１１は側面直立部２の孔１、８に隣接しており、壁１２の外側の端は固定溶接された継手によって取り付けられた留め金５を含んでいる。このばね６は、固定溶接された継手によってレバー４の壁１２の内側に取り付けられている。ばね６は、レバー４のロック位置への戻りを確実にするように配置されている。留め金５は直方体形状である。
【００１７】
レバー４の２つの対向する平行な斜壁１３、１４は固定軸７の配置のための２つの対向する開口１５、１６を含み、直立部２の壁は、固定軸７の配置のための２つの開口１７を含む。開口１７は、レバー４の対向する平行な傾斜壁１３、１４にある開口１５、１６と一平面に整列されている。固定軸７はキャリングシャフトである。第１の開口１７には、ねじ山が設けられている。キャリングシャフトは、ネジボルトが開口１７（ネジ付き）と開口１５、１６を貫通してねじ込まれ、他方の開口１７に食い込むように作成される。
【００１８】
容器が展開され、折りたたむ必要がある場合、レバー４の壁１１の外側を側面直立部２の孔１（８）を通して押さえると、レバー４は固定軸７を中心に回転し、直立部２の内側に側面直立部２の孔２（９）から留め金５を完全に挿入させ、隣接するサイドパネルの側面直立部３を第１のサイドパネルの側面直立部２の隣接位置側から分離させることにより、容器を段階的に折りたたむ。容器を展開する際には、レバー４の壁１１の外側が側面直立部２の孔１（８）を通して押されることにより、レバー４が固定軸７を中心に回転し、留め金５が側面直立部２の孔２（９）から側面直立部２に完全に挿入されることにより、第１サイドパネルの側面直立部２に隣り合うサイドパネルの側面直立部３の配置が可能となる。レバー４の壁１１の外側をリリースした後、ばね６の動作は、側面直立部２の孔２（９）を突き抜けて留め金５を、隣接するサイドパネルの側面直立部３の開口１０に押し込む。
【００１９】
実施例２
折り畳み式輸送コンテナは実施例１と同様に、ロック／リリース機構１を備えて製造されたものであり、ばね６上に形成されたループを介して取り付けられたばね６を備えて、壁１２の内側に配置された突起１８を収容することによって異なる。留め金５は楔形である。このような形状の留め金５は容器の展開時に、隣接するサイドパネルの接近によって隣接するサイドパネルの側面直立部３が第１サイドパネルの側面直立部２よりも内側にくさび状の留め金５を徐々に押し付けていくため、レバー４の壁１１の外側を押し付ける必要がないことを確実にする。
【００２０】
安全性および強度を高めるために、第１のサイドパネルの側面直立部２には安全支持部１９が設けられ、隣接するサイドパネルの側面直立部３には開口２０が設けられ、その形状および寸法は、安全支持部１９の形状および寸法に適合し、突起の挿入のためのものである。隣接するサイドパネルに接近し、隣接するサイドパネルの側面直立部３の内部に第１サイドパネルの側面直立部２の安全支持部１９が開口２０に挿入される。
【００２１】
実施例３
実施例１と同様に、ロック／リリース機構１を備えた折り畳み式輸送コンテナを製造したが、各サイドパネルの１つの直立部２に配置された４つのロック／リリース機構１を備える点が異なる。
【産業上の利用可能性】
【００２２】
本発明によるロック／リリース機構を備えた折り畳み式輸送コンテナの産業上の利用可能性は明らかである。この解決策、特にロック／リリース機構の実施形態は、輸送目的として他の目的、例えば貯蔵容器などにも使用することができる。
【符号の説明】
【００２３】
１       ロック／リリース機構
２       第１サイドパネルの側面直立部
３       隣接するサイドパネルの側面直立部
４       レバー
５       留め金
６       ばね
７       固定軸
８       側面直立部２の孔１
９       側面直立部２の孔２
１０    隣接するサイドパネルの側面直立部３の開口
１１、１２      レバー４のオフセット壁
１３、１４      レバー４の斜壁
１５、１６      固定軸７の配置のためのレバー４の対向する開口
１７     固定軸７の配置のための直立部２の壁の開口／２つの開口
１８     ばね６を取り付けるための突起
１９     第１サイドパネルの側面直立部２の安全支持部
２０     安全支持部１９の挿入のための隣接するサイドパネルの側面直立部３内の開口
【図１】
2021520317.tif 000003
【図２】
2021520317.tif 000004
【図３】
2021520317.tif 000005
【図４】
2021520317.tif 000006
【図５】
2021520317.tif 000007
【図６】
2021520317.tif 000008
【国際調査報告】
2021520317.tif 000009
2021520317.tif 000010